【手続補正書】
【提出日】平成21年2月26日(2009.2.26)
【手続補正１】
【補正対象書類名】明細書
【補正対象項目名】０００９
【補正方法】変更
【補正の内容】
【０００９】
図１１を参照して、上述の複数のＬＥＤにより面状の発光を得る方法の１つであるサイドエミッタ型のＬＥＤ発光素子を用いた方式について説明する。サイドエミッタ型においては、発光素子自身に箱状の反射部材が備えられる。なお、図１１（ａ）は、光源部を中心とした要部の部分断面を示し、図１１（ｂ）は光源部を導光板２１０の入射面２１１から観察した状態を示している。
【手続補正２】
【補正対象書類名】明細書
【補正対象項目名】００１２
【補正方法】変更
【補正の内容】
【００１２】
さらに、複数のＬＥＤチップを１つの基板上に直線状に配列して封止したＬＥＤアレイモジュールを用いて面状の発光を得る方法も提案されている（例えば特許文献１）。図１２を参照して、そのような方法について説明する。本方法においては、図１０および図１１に示した方式と異なり複数のＬＥＤチップが１つの基板上に直線状に配列された状態で封止されているＬＥＤアレイモジュールとして構成される（例えば特許文献１参照）なお、図１２（ａ）は光源部を中心とした要部の部分断面を示し、図１２（ｂ）は光源部を導光板３１０の入射面３１１から観察した状態を示している。
【手続補正３】
【補正対象書類名】明細書
【補正対象項目名】００１３
【補正方法】変更
【補正の内容】
【００１３】
ＬＥＤアレイモジュール３２０は、複数のＬＥＤチップ３２１をアレイモジュール基板３２２上に直線状に配列して透明樹脂製の封止樹脂部３２４で封止されて構成される。このように、ＬＥＤアレイモジュール３２０は１つの大きなアレイモジュール基板上（３２２）にマトリクス状にＬＥＤチップ３２１を配置して封止した後に、これを切断することによって効率よく作成できる。また、アレイモジュール基板３２２として配線基板を用いることにより、ＬＥＤアレイモジュール３２０内の複数のＬＥＤチップ３２１を内部で接続でき、接続点数が削減できる。
【手続補正４】
【補正対象書類名】明細書
【補正対象項目名】００２５
【補正方法】変更
【補正の内容】
【００２５】
図１（ａ）に、本実施の形態にかかるエッジ入力型バックライトＢＬＥ１に用いられる光源部Ｐｏｓを導光板側から見た上面図を表し、図１（ｂ）に図１（ａ）におけるＩＢ−ＩＢ断面を示す。図１（ａ）に示すように、複数のＬＥＤチップ４２１が細長い矩形状のアレイモジュール基板４２２上に配列され、接続され、透明な封止樹脂部４２４で封止されて、ＬＥＤアレイモジュール４２０が形成される。そして、複数のＬＥＤアレイモジュール４２０のそれらがほぼ直線状になるように配線基板４３０上に配列される。そして、配線基板４３０上の、前記ＬＥＤアレイモジュール４２０の側面方向（ＬＥＤアレイモジュール４２０を配列した方向と平行）に、ＬＥＤアレイモジュール４２０に近接して押さえ部材４４０が形成される。
【手続補正５】
【補正対象書類名】明細書
【補正対象項目名】００２７
【補正方法】変更
【補正の内容】
【００２７】
プリズムシート４６０は透明ＰＥＴシートを基材としてその一方の面に紫外線硬化樹脂などで微細なプリズムアレイを形成されている。そして、プリズム面が導光板４１０と反対側に位置するように、プリズムシート４６０を設置することにより、導光板４１０の側面から外部に散乱状に漏れ出す光を正面方向に集光して正面方向を明るくする効果を得ている。
【手続補正６】
【補正対象書類名】明細書
【補正対象項目名】００４９
【補正方法】変更
【補正の内容】
【００４９】
そして、反射シートには拡散的な反射特性を有する白色ＰＥＴシートと鏡面反射特性を有する銀蒸着シートの２種類を準備した。また、図７の右上に示すように２枚の反射シートをＬＥＤアレイモジュール４２０の側面部に沿うように平行に設定した場合と、図７の右下に示したように、２枚の反射シートを幅１ｍｍのＬＥＤアレイモジュールから厚み２ｍｍの導光板入射面に向かって次第にその間隔が大きくなるように設定した場合とを比較した。
【手続補正７】
【補正対象書類名】明細書
【補正対象項目名】００５８
【補正方法】変更
【補正の内容】
【００５８】
なお、上述の第１の実施の形態にかかるエッジ入力型バックライトＢＬＥ１においては、導光板４１０の入射面４１１とＬＥＤアレイモジュール４２０とを囲む反射層（鏡面反射シート４５１）の間隔を導光板４１０に近づくにつれて開くように設定している。そのために、導光板４１０側での２つの鏡面反射シート４５１の間隔は、導光板４１０側から延伸した部材に反射層を設けることにより導光板４１０自身の厚みで規制すると共に、ＬＥＤアレイモジュール４２０側では配線基板上に設けた押さえ部材４４０とＬＥＤアレイモジュール４２０の側面部との間に反射シート（鏡面反射シート４５１）を挿入している。しかしながら、本発明はこれに限定されるものではなく、例えば、図８に示すような構成でも良い。
【手続補正８】
【補正対象書類名】明細書
【補正対象項目名】００６０
【補正方法】変更
【補正の内容】
【００６０】
光源部Ｐｏｓ２の配線基板５３０のＬＥＤアレイモジュール５２０の側面部近傍にスリット５９０が設けられている。一方導光部は図７と同様に導光板５１０から反射シート５５０およびプリズムシート５６０を突出させ、その突出部に鏡面反射層５６１ｂおよび５６１ｔを設けると共に、それぞれの最先端部に前記光源部Ｐｏｓ２のスリット５９０と対応する凸部ＰｈｂおよびＰｈｔを形成する。
【手続補正９】
【補正対象書類名】明細書
【補正対象項目名】００６３
【補正方法】変更
【補正の内容】
【００６３】
（第３の実施の形態）
次に、図９を参照して、本発明の第３の実施の形態にかかるエッジ入力型バックライトＢＬＥについて説明する。本実施の形態にかかるエッジ入力型バックライトＢＬＥ３は、図３に示したエッジ入力型バックライトＢＬＥ１において、導光板４１０の発光面側に位置する押さえ部材４４０を、配線基板４３０の裏面から延伸する鏡面反射プレート６７０に置き換えられている。なお、鏡面反射プレート６７０のＬＥＤチップ４２１に面する表面には鏡面反射面６７１が設けられている。
【手続補正１０】
【補正対象書類名】明細書
【補正対象項目名】００６５
【補正方法】変更
【補正の内容】
【００６５】
本発明にかかるエッジ入力型バックライトおよび液晶表示装置は、複数の点光源を用いながら入射面となる側面部直近から均一な発光が可能である装置をコンパクトに構成することができるので、特に小型、軽量が要求される携帯型情報端末やノート型パーソナルコンピュータなどの映像表示部等に有用である。
【手続補正１１】
【補正対象書類名】明細書
【補正対象項目名】００６７
【補正方法】変更
【補正の内容】
【００６７】
１１０、２１０、３１０、４１０、５１０  導光板
１１１、２１１、３１１、４１１、５１１  入射面
１１２  出射面
１１３  反射面
１２０  冷陰極線管
１３０、２３０  リフレクタ
２２０、３２０  ＬＥＤ光源素子
２２１、３２１、４２１、５２１  ＬＥＤチップ
２２２  素子基板
２２３  反射部材
２２４、３２４、４２４  封止樹脂
１４０、２４０、３４０  反射シート
１５０、２５０、３５０  光学フィルム
２６０、３６０  フレーム
２７０、３７０  配線基板
３２０、  ４２０、５２０  ＬＥＤアレイモジュール
３２２、４２２  モジュール基板
４３０、５３０  配線基板
４４０、６４０  押さえ部材
４５０、５５０  反射シート
４５１、５５１  鏡面反射シート
４６０、５６０  プリズムシート
４６１ｂ、４６１ｔ、５６１ｂ、５６１ｔ  鏡面反射層
５６１  鏡面反射層
４７０、５７０  拡散シート
４８０、５８０  フレーム
５９０  スリット
Ｐｅｘ、Ｐｅｘｂ、Ｐｅｘｔ  突出部
ＢＬＥ、ＢＬＥ１、ＢＬＥ２、ＢＬＥ３  エッジ入力型バックライト